(57)【要約】【課題】  搬送及び据え付け時には、十分な強度を得られると共に、据え付け後の使用状態では、屋根裏空間内の空間スペースを有効に活用できる屋根ユニット及び該屋根ユニットを用いた施工方法を提供する。【解決手段】  設置状態では、少なくとも１つの領域である左側面１２ｂの斜材１７Ｂを、上取付板部材１４ａ及び下取付板部材１６ｂから取り外して、他の領域である右側面１２ｄに設けられた上取付板部材１４ａ及び下取付板部材１６ｂに、この斜材１７Ｂを装着することにより、斜材１７Ｂが取り外された左側面１２ｂの領域に、正面視略矩形形状の開口部が形成される。【選択図】図１
2005139675.tif 000002
【特許請求の範囲】
【請求項１】
側面を複数の領域に分割して、該各領域に斜材を装脱着可能に配設する着脱部を有する
と共に、設置状態では、少なくとも１つの領域の斜材を該着脱部から取り外して、他の領
域に設けられた着脱部に該斜材を装着することにより、前記斜材が取り外された領域の側
面に開口部を形成可能とすることを特徴とする屋根ユニット。
【請求項２】
前記着脱部は、予め装着されている１つの斜材よりも外側に位置させて、他の領域で取
り外された斜材を交差させた状態で装着可能とすることを特徴とする請求項１記載の屋根
ユニット。  
【請求項３】
複数の領域に分割された側面の該各領域に斜材を装着して、施工現場まで搬送すると共
に、施工現場で、据え付けられた後、１つの領域の前記斜材を取り外して、他の領域に装
着することにより、前記斜材が取り外された領域の側面に開口部を形成することを特徴と
する請求項１又は２記載の屋根ユニットを用いた施工方法。
【発明の詳細な説明】
【技術分野】
【０００１】
この発明は、搬送及び施工が容易で、施工後は、空間を有効に活用出来る屋根ユニット
に関するものである。
【背景技術】
【０００２】
従来、図４に示すような屋根ユニットが、知られている（例えば、特許文献１等参照）
。
【０００３】
まず、構成から説明すると、建物としてのユニット住宅１を構成する居室ユニット２…
の上部には、このユニット住宅１の屋根部を構成する屋根ユニット３が、載置されている
。
【０００４】
この屋根ユニット３は、側面３ａが、設置後に装着される中央の柱材３ｂ部分を境界と
して、左，右側面３ｂ，３ｂに２分割されており、これらの各左，右側面３ｂ，３ｂには
、対角線上に位置する斜材３ｃ，３ｃが固定されている。
【０００５】
そして、搬送状態では、前記左，右側面３ｂ，３ｂの上辺部に沿って、水平に仮補強梁
部材３ｄ，３ｄが各々着脱可能となるように装着されている。
【０００６】
次に、この従来の屋根ユニットの作用について説明する。
【０００７】
このように構成された従来の屋根ユニットでは、予め、前記左，右側面３ｂ，３ｂの上
辺部に沿って、水平に仮補強梁部材３ｄ，３ｄが各々着脱可能となるように装着されると
共に、中央の柱材４については、未装着状態で、施工現場まで搬送される。
【０００８】
施工現場では、この屋根ユニット３が、前記居室ユニット２の上に載置されることによ
り据え付けられて、前記中央の柱材４が、左，右側面３ｂ，３ｂの間に位置するように装
着されると共に、前記仮補強梁部材３ｄ，３ｄが取り外される。
【０００９】
そして、前記柱材４の上部に形成された支持面部３ｅに、軒先側に装着される屋根パネ
ル部材等の裏面側に位置する流れ方向梁材等が載置されて、切り妻型の屋根部が形成され
るようにしている。
【特許文献１】特開２００３−２５３８０２号公報
【発明の開示】
【発明が解決しようとする課題】
【００１０】
しかしながら、このような従来の屋根ユニット及び該屋根ユニットを用いた施工方法で
は、各左，右側面３ｂ，３ｂに、搬送及び据え付け時の補強として、必ず少なくとも１本
の斜材３ｃを設けなければならない。
【００１１】
このため、据え付け後の使用状態では、この斜材３ｃが、屋根裏空間内に残存して、例
えば、屋根裏空間内に小屋根裏を設ける場合に、障害となるといった問題があった。
【００１２】
そこで、この発明は、搬送及び据え付け時には、十分な強度を得られると共に、据え付
け後の使用状態では、屋根裏空間内の空間スペースを有効に活用できる屋根ユニット及び
該屋根ユニットを用いた施工方法を提供することを課題としている。
【課題を解決するための手段】
【００１３】
上記目的を達成するために、請求項１に記載された発明では、側面を複数の領域に分割
して、該各領域に斜材を装脱着可能に配設する着脱部を有すると共に、設置状態では、少
なくとも１つの領域の斜材を該着脱部から取り外して、他の領域に設けられた着脱部に該
斜材を装着することにより、前記斜材が取り外された領域の側面に開口部を形成可能とす
る屋根ユニットを特徴としている。
【００１４】
また、請求項２に記載されたものは、前記着脱部は、予め装着されている１つの斜材よ
りも外側に位置させて、他の領域で取り外された斜材を交差させた状態で装着可能とする
請求項１記載の屋根ユニットを特徴とする。  
【００１５】
そして、請求項３に記載されたものは、複数の領域に分割された側面の該各領域に斜材
を装着して、施工現場まで搬送すると共に、施工現場で、据え付けられた後、１つの領域
の前記斜材を取り外して、他の領域に装着することにより、前記斜材が取り外された領域
の側面に開口部を形成する請求項１又は２記載の屋根ユニットを用いた施工方法を特徴と
する。
【発明の効果】
【００１６】
このように構成された本願発明の請求項１記載のものは、搬送時には、前記側面の各領
域の着脱部に、前記斜材を各々配設して、搬送及び据え付け時に所望の強度を得ることが
出来る。
【００１７】
また、据え付け後、前記少なくとも１つの領域の斜材が、前記着脱部から取り外されて
、他の領域に設けられた着脱部に該斜材が装着されると、前記斜材が取り外された領域の
側面に開口部が形成される。
【００１８】
このため、屋根裏空間内に小屋根裏が設けられる場合に、前記斜材が、障害となる虞が
なく、屋根裏空間内の空間スペースを有効に活用することができる。
【００１９】
また、請求項２に記載されたものは、前記着脱部には、予め装着されている１つの斜材
よりも外側に位置させて、他の領域で取り外された斜材が、交差させた状態で装着されて
も、該両斜材が干渉する虞がない。
【００２０】
このため、交差して前記両斜材が装着された領域では、更に、強度が向上すると共に、
前記開口部を形成する際に、取り外された斜材を建物内で有効に活用出来、廃棄や搬送元
に再び持ち帰る必要もない。
【００２１】
しかも、搬送時には、搬送可能な外形寸法内に、前記屋根ユニットの最大外形寸法が収
まるように、該屋根ユニットの外形寸法を設定することができる。そして、この外形寸法
よりも外側に取り外された前記斜材を装着して収納できるので、更に、屋根ユニット内部
を大きな空間として使用出来、この点においても、屋根裏空間内の空間スペースを有効に
活用することが出来る。  
【００２２】
そして、請求項３に記載されたものは、搬送時、前記各斜材を、輸送制限寸法内に位置
させて、搬送可能とすることができる。
【００２３】
そして、据え付け後、屋根ユニットの側面に容易に開口部を形成出来るので、屋根裏空
間内の空間スペースを有効に活用することができる建物が提供される。
【発明を実施するための最良の形態】
【００２４】
次に、図面に基づいて、この発明を実施するための最良の実施の形態の屋根ユニット及
び該屋根ユニットを用いた施工方法を説明する。
【００２５】
なお、前記従来例と同一乃至均等な部分については同一符号を付して説明する。
【００２６】
図１乃至図４は、この発明の実施の形態の屋根ユニット及び該屋根ユニットを用いた施
工方法を説明するものである。
【００２７】
まず、構成を説明すると、この発明の実施の形態では、建物としてのユニット住宅１０
が、複数の居室ユニット２…及び、屋根部１１を構成する屋根ユニット１２，屋根パネル
部材１３…等とから主に構成されている。
【００２８】
このうち、前記屋根ユニット１２は、主に、四隅に配設された４本の支柱部材１４…に
よって、切り妻形状を呈するように、一定の傾斜角度を有して装着される屋根面パネル部
１５…が、下方から支持されて構成されている。なお、図１では、理解の容易のため、こ
の屋根面パネル部１５のパネル板材が、取り外された状態が図示されている。
【００２９】
また、この屋根ユニット１２の側面１２ａは、２本の束部材１６，１６によって、正面
視矩形形状の左側面１２ｂ，中央側面１２ｃ，右側面１２ｄに、領域が、３分割されてい
る。この実施の形態では、左，右側面１２ｂ，１２が、前記中央側面１２ｃの左，右両側
に位置して、３つの側面１２ｂ，１２ｃ，１２ｄが、略面一となるように連設されている
。
【００３０】
そして、これらの各側面１２ｂ〜１２ｄに四隅には、各々板状の着脱部としての上，下
取付板部材１４ａ，１４ｂ及び１６ａ，１６ｂが、前記支柱部材１４の上，下端部近傍及
び前記束部材１６の上，下端部近傍に固着されて設けられている。
【００３１】
これらの各上，下取付板部材１４ａ，１４ｂ及び１６ａ，１６ｂは、面延設方向を前記
側面１２ａ延設方向に沿わせて、固着されることにより、搬送時には、搬送可能な外形寸
法内に収まるように設定されている。
【００３２】
そして、これらの各上，下取付板部材１４ａ，１４ｂ及び１６ａ，１６ｂには、内外面
を連通するボルト孔１４ｃ…及び１６ｃ…が開口形成されていて、内外側面のいずれから
も、棒状の斜材１７Ａ，１７Ｂが、ボルト部材１８及びナット部材１９を用いて、装脱着
可能とするように構成されている。
【００３３】
これらの斜材１７Ａ，１７Ｂは、断面略コ字状を呈して同形状に構成されて、前記各左
側面１２ｂ，中央側面１２ｃ，右側面１２ｄに形成される開口部の対角線と略同じ長さを
有して架け渡され、各端縁部を、前記各上，下取付板部材１４ａ，１４ｂ及び１６ａ，１
６ｂの内外側面の何れからも、前記ボルト部材１８及びナット部材１９を用いて装着可能
となるように構成されている。
【００３４】
そして、この実施の形態では、図１に示すように、前記各左側面１２ｂ，中央側面１２
ｃ，右側面１２ｄの各領域に、斜材１７Ｂ，１７Ａ，１７Ａを１本ずつ、対角線に沿わせ
て、前記各上，下取付板部材１４ａ，１４ｂ及び１６ａ，１６ｂの内側面側から装着して
、施工現場まで搬送するようにしている。
【００３５】
また、設置状態では、少なくとも１つの領域（この実施の形態では、左側面１２ｂ）の
斜材１７Ｂを、前記上取付板部材１４ａ及び下取付板部材１６ｂから取り外して、他の領
域（この実施の形態では、右側面１２ｄに設けられた前記上取付板部材１４ａ及び下取付
板部材１６ｂに、この斜材１７Ｂを装着することにより、前記斜材１７Ｂが取り外された
左側面１２ｂの領域に、正面視略矩形形状の開口部が形成されるようにしている。
【００３６】
この装着の際には、図２中二点鎖線で示すように、前記上取付板部材１４ａ及び下取付
板部材１６ｂの外側から、予め装着されている１つの斜材１７Ａ（図中実線部分）よりも
外側（図中左側）に位置させて、図１に示すように、他の領域である左側面１２ｂで取り
外された斜材１７Ｂを、この右側面１２ｄでは、正面視で交差させた状態で装着するよう
に構成されている。
【００３７】
次に、この実施の形態の作用について説明する。
【００３８】
この実施の形態では、図３中（ａ）に示すように、施工現場まで、前記居室ユニット２
…及び前記屋根ユニット１２が、施工現場まで、搬送されて、据え付けられる。
【００３９】
搬送時には、前記屋根ユニット１２の前記側面１２ａの領域である各側面１２ｂ〜１２
ｄの各上，下取付板部材１４ａ，１４ｂ及び１６ａ，１６ｂの内側面側から、前記斜材１
７Ｂ，１７Ａ…が、前記ボルト部材１８及びナット部材１９によって装着された状態で、
搬送されると共に、そのまま、前記居室ユニット２の上部への据え付け作業が行われる。
【００４０】
このため、各側面１２ｂ〜１２ｄの対角線上に設けられた各斜材１７Ｂ，１７Ａ…が、
分割された小さな領域の側面１２ｂ，１２ｃ，１２ｄの各々の補強材として作用して、搬
送及び据え付け時に所望の強度を得ることが出来る。
【００４１】
また、据え付け後、図３中（ｂ）に示すように、前記左側面１２ｂの斜材１７Ｂが、前
記ボルト部材１８及びナット部材１９の螺合を緩めることによって、前記上取付板部材１
４ａ及び下取付板部材１６ｂから取り外される。
【００４２】
そして、図３中（ｃ）に示すように、そのまま、前記右側面１２に設けられた前記上取
付板部材１６ａ及び下取付板部材１４ｂに、この斜材１７Ｂが、前記ボルト部材１８及び
ナット部材１９によって装着される。
【００４３】
従って、図１に示すように、前記斜材１７Ｂが取り外された左側面１２ｂ領域の側面に
は、正面視略矩形形状の開口部が形成される。
【００４４】
このため、屋根裏空間内に小屋根裏が設けられる場合に、前記斜材１７Ｂが、この左側
面１２ｂの領域で障害となる虞がなく、屋根裏空間内の空間スペースを有効に活用するこ
とができる。
【００４５】
また、この実施の形態では、図２に示すように、前記右側面１２に設けられた前記上取
付板部材１６ａ及び下取付板部材１４ｂには、予め装着されている斜材１７Ａよりも、前
記上取付板部材１４ａ，１６ａ及び下取付板部材１４ｂ，１６ｂの板厚分、外側に位置す
るように、左側面１２ｂ領域で取り外された斜材１７Ｂが、交差させた状態で、これらの
上取付板部材１６ａ及び下取付板部材１４ｂの外側面に装着される。従って、この両斜材
１７Ａ，１７Ｂが、干渉する虞がない。
【００４６】
このため、交差して前記両斜材１７Ａ，１７Ｂが装着された右側面１２ｄの領域では、
更に、強度が向上すると共に、前記左側面１２ｂに開口部が形成される際に、取り外され
た斜材１７Ｂを、この右側面１２ｄの補強として用いて、ユニット住宅１０内で有効に活
用出来、廃棄や搬送元に再び持ち帰る必要もない。
【００４７】
更に、左側面１２ｂの斜材１７Ｂの取り外された前記ボルト部材１８及びナット部材１
９を用いて、この斜材１７Ｂを右側面１２ｄに固定することができるので、固定の為のボ
ルト部材１８及びナット部材１９を別途搬送及び数量管理する必要も無く、管理が容易で
ある。
【００４８】
次に、図３中（ｄ）に示すように、この屋根ユニット１２の軒先側に、屋根パネル部材
１３が装着されて、図３中（ｅ）に示すように、複数の屋根パネル部材１３…の装着が完
了することで雨仕舞いが略完了する。
【００４９】
据え付け後、ユニット住宅１０使用状態では、前記左側面１２ｂの矩形形状の開口部を
介して、前記屋根ユニット１２内部と、左端の屋根パネル部材１３の下方の空間とが、連
通して、広い面積の小屋根裏空間が、設定できる。
【００５０】
しかも、搬送時には、搬送可能な外形寸法内に、前記屋根ユニット１２の最大外形寸法
が収まるように、この屋根ユニット１２の外形寸法を設定することができる。そして、こ
の外形寸法よりも外側に、取り外された前記斜材１７Ｂを装着して、ユニット住宅１０内
に収納できるので、更に、屋根ユニット１２内部を大きな空間として使用出来、この点に
おいても、屋根裏空間内の空間スペースを有効に活用することが出来る。  
【００５１】
そして、搬送時、前記各斜材１７Ａ，１７Ｂが、前記各上，下取付板部材１４ａ，１４
ｂ及び１６ａ，１６ｂの内側面側に固定されて、輸送制限寸法内に位置される。従って、
トラック等の搬送手段から突出する等の虞が無く、搬送可能とすることができる。
【００５２】
そして、据え付け後、屋根ユニット１２の側面１２ａに、容易に正面視矩形形状の開口
部が形成されるので、屋根裏空間内の空間スペースを有効に活用することができるユニッ
ト住宅１０が提供される。
【００５３】
また、この実施の形態の屋根ユニット及び該屋根ユニットを用いた施工方法では、前記
板状の各上，下取付板部材１４ａ，１４ｂ及び１６ａ，１６ｂの内外両側面を用いて、前
記斜材１７Ａ，１７Ｂを着脱可能とする着脱部を構成できるので、別途、装脱着可能な取
付部を設ける必要が無く、軽量で、しかも、部品効率の良好な構造とすることが出来る。
【００５４】
以上、図面を参照して、本発明の実施の形態を詳述してきたが、具体的な構成は、この
実施の形態に限らず、本発明の要旨を逸脱しない程度の設計的変更は、本発明に含まれる
。
【００５５】
例えば、前記実施の形態では、左側面１２ｂ，中央側面１２ｃ，右側面１２ｄに３分割
された側面１２ａを有する屋根ユニット１２を用いて説明してきたが、特にこれに限らず
、２分割或いは４分割以上の多分割の側面を有する屋根ユニットであっても、少なくとも
１つの領域の斜材をこの着脱部から取り外して、他の領域に設けられた着脱部に該斜材を
装着するものであるならば、どのような形状，数量，材質のものであってもよい。
【００５６】
また、この実施の形態では、切り妻屋根形状を呈する屋根部１１の棟側の屋根ユニット
１２に適用したものを示して説明してきたが、特にこれに限らず、例えば、軒側の屋根ユ
ニット等に適用してもよい。
【図面の簡単な説明】
【００５７】
【図１】この発明の実施の形態の屋根ユニット及び該屋根ユニットを用いた施工方法で、要部の構成を説明する分解斜視図である。
【図２】実施の形態の屋根ユニット及び該屋根ユニットを用いた施工方法で、右側面に斜材を装着する様子を説明する上面図である。
【図３】実施の形態に係る屋根ユニット及び該屋根ユニットを用いた施工方法で、施工現場での据え付けの様子を示し、（ａ）は、屋根ユニットの据え付け作業、（ｂ）は、斜材の取り外し作業、（ｃ）は、斜材の取付作業、（ｄ）は、屋根パネルの取付作業、（ｅ）は、据え付け後のユニット住宅の構成を説明する模式図である。
【図４】従来例の屋根ユニット及び該屋根ユニットを用いた施工方法で、要部の施工を説明する分解斜視図である。
【符号の説明】
【００５８】
１０              ユニット住宅（建物）
１１              屋根部
１２              屋根ユニット
１２ａ            側面
開口部
１２ｂ            左側面
１２ｃ            中央側面
１２ｄ            右側面
１３            屋根パネル部材
着脱部
１４ａ，１６ａ    上取付板部材
１４ｂ，１６ｂ    下取付板部材
１７Ａ，１７Ｂ      斜材    
【図１】
2005139675.tif 000003
【図２】
2005139675.tif 000004
【図３】
2005139675.tif 000005
【図４】
2005139675.tif 000006